(57)【要約】【課題】通常の度なし日除けサングラスや保護眼鏡に視力矯正レンズ裸単体が両面接着調整シートを挟むことによって、容易に装着可能となり、矯正眼鏡常時着用者でも視力、サイズに合った眼鏡が手軽に利用できるようになった。【解決手段】通常の度なし日除けサングラスや保護眼鏡と視力矯正レンズとの間に、片側が強粘着面を有し、対向側が弱粘着面を持った両面接着調整シートを挟接することによって、簡単に度付きサングラスや保護眼鏡に変身でき、使用者の視力に応じて矯正レンズ単品を自由に交換することが可能となった。【選択図】図１
2005092173.tif 000002
【特許請求の範囲】
【請求項１】
常用透視眼鏡１の常用透視レンズ３と左右補助矯正レンズ４ａｌ、４ａｒとの間に両面接着テープ叉はシート５Ａ、６Ａを狭接し、前記補助矯正レンズを所定の位置に配設することを特徴とする多機能透視眼鏡。
【請求項２】
両面接着テープ叉はシート５Ａ、６Ａは片側が固定用強粘着面で対向側は弱粘着面叉は吸着面を有する請求項１の多機能透視眼鏡。
【請求項３】
調整支持体７Ａｂの片面に両面強粘着シート叉はテープ７Ａｃを積層接着し、他面側には請求項２の両面接着シート叉はテープ５Ａを弱粘着面５ａａを外側にして層着して両面接着調整シート７Ａを形成し、補助矯正レンズ４ａの周辺部に７Ａを接着して、保護常用透視レンズ３Ｇとの高さ方向の位置調整を行うことを特徴とした請求項２の多機能透視眼鏡。
【発明の詳細な説明】
【技術分野】
【０００１】この発明は屋内外使用の、例えば日除けサングラス又は作業用保護、或いは花粉防止眼鏡の度なしレンズに対して使用者の両眼視力に適合した補助レンズを単体で容易に装着することの出来る多機能透視眼鏡に関するものである。
【背景技術】
【０００２】近年、屋外余暇の増大と共にスキー、海水浴、釣りなどアウトドアスポーツを楽しむ機会が増え日除けサングラスは必需品となりつつ有る。
また、防災安全上、園芸農作業の農薬散布や樹木剪定等、並びに木工加工及び金属機械加工等の作業に於いては保護眼鏡の装着が不可欠である。
更には、、花粉症疾患で悩む人が年毎に急増中で、花粉防止眼鏡着用者も増加の一途を辿っている。
矯正眼鏡の常時着用者にとっては上記機能及び作業を果たすため、アウトドアスポーツでは、その上から調光シールドするためのゴーグルカバーをつけたり、前記作業および疾患者は両眼全面を度なしクリヤーレンズで保護したりしなければならず、保護眼鏡自体が大型重量化すると同時に、矯正眼鏡の上に更にサングラスゴーグルや保護具を重ねて装着するために、目、鼻、耳、ともに重苦しい状態で使用せざるを得なかった。【０００３】また更には
【特許文献１】、のごとくサングラス本体にフレーム付き矯正補助眼鏡を直接装着固定する方法が提案れているが、それは補助眼鏡の両眼中央部のブリッジに矩形嵌合取付け孔が設けられていて、その部分の肉厚が非常に薄く特に角部は強度的に最も脆弱である上、矯正補助眼鏡の外端フレームに振動衝撃等が加わると中央ブリッジの矩形嵌合部には、テコの原理により強大な応力が集中し易くなるばかりでなく、経年変化による材質劣化で更にクラックが生じやすくなる。従ってこのように中央１ケ所集中固定であると、外部からの振動、変形および落下等の衝撃に対して破損脱落の危険性が大となる。また、前記眼鏡はあくまでサングラス専用のオプションであり、単体では他用途への転用は困難である。
【特許文献１】特開平９−２３０２８９号
【発明の開示】
【発明が解決しようとする課題】
【０００４】したっがて、本発明は屋内外で一般的に使用されている図２の携帯常用透視眼鏡１の常用透視レンズ３のほぼ左右中央部と、左右の補助矯正レンズ４ａｌ，４ａｒとの間に両面接着シート５Ａ、６Ａを挟接するか、図４の常用透視保護眼鏡１Ｇでは保護常用透視レンズ３Ｇの左右眼球中心位置に補助調整接着矯正レンズ４Ａａを装着することで前記矯正レンズ４ａ各単品を容易に接着可能とし、各使用者の視力に適合した前記矯正レンズを眼の規準に合わせて確実に装着すると同時に、必要に応じて交換し得る多機能透視眼鏡を提供することを目的とするものである。
【課題を解決するための手段】
【０００５】請求項１の発明は、通常屋外で使用されている度なし日除けサングラスを矯正眼鏡の常時着用者でも容易に利用可能とするため、例えば、図２の左右補助矯正レンズ４ａｌ、４ａｒの周辺部に、あらかじめチップ状に形成した両面接着シート叉はテープ（以下テープは省略）５Ａ、６Ａを補助矯正レンズ４ａ（４ａｌ、４ａｒの総称）の周辺前面部４ｃｌ、４ｃｒに接着仮固定して、補助接着矯正レンズ４Ａ（４Ａｌ、４Ａｒの総称）とした後、左右の常用透視レンズ３Ｌ、３Ｒのほぼ中央部７Ｌ、７Ｒ位置に、装着固定して軽量かつ簡素化する技術的手段を採用した。
請求項２の発明は、装着固定された左右の補助矯正レンズ４ａまたは、補助接着矯正レンズ４Ａを常用透視レンズ３より確実に着脱可能とするため、図３の中央支持体５ｂ、６ｂの片側面は弱粘着剤５ａと、その対向面は強粘着剤５ｃとの組み合わせを有する両面接着シート５Ａ、６Ａを採用して、前記矯正レンズ４ａならびに、前記接着矯正レンズ４Ａの交換手段を容易ならしめた。
請求項３の発明は、特に調光レンズ左右一体型サングラス及び保護眼鏡等に於いては、前面保護レンズは両眼顔面部の曲率に合わせた円筒一体形状となっているため、左右の補助接着矯正レンズ４Ａが眼球に対して正規の位置に配備できない場合がある。
そのような事態を解決する手段として、例えば図５のごとく調整支持体７Ａｂを中央部に配設した両面接着調整シート７Ａを鼻掛け側に接着することで、眼の規準位置に補助矯正レンズ４ａを安定的に調整配備させることで本課題が解決できた。
【発明の効果】
【０００６】矯正眼鏡常時着用者が、通常の度なしサングラスや保護眼鏡等を使用する場合は、矯正眼鏡の上からゴーグル型サングラスや保護眼鏡を重ねて着用しなければならず、目、鼻、耳、ともに重苦しい状態で使用せざるを得ず、大型重量化が避けられなかった。
また更に、度付き矯正眼鏡を専用オプションとして、度なしサングラスや保護眼鏡等に、別途、装着する方法が提案されているが、矯正眼鏡の中央部フレームが肉薄複雑形状である上、１ヶ所集中固定となっているため、外部からの振動、変形および落下等の衝撃に対しても破損脱落の危険性が大であった。
本発明により通常の度なしサングラスや保護眼鏡等に両面接着シート５Ａ、６Ａで左右補助矯正レンズ４ａｌ、４ａｒ単品のみを確実に装着可能としたため、正規の矯正眼鏡フレーム本体、鼻掛けパッド及びテンプルが不要となり、目、鼻、耳への負担が一掃され、同時に、ゴーグル型サングラスや保護眼鏡の内部空間も節約でき、メガネ型に近い、簡素で軽量、且つ、コンパクトな多機能眼鏡が実現できた。
また更に、このメガネ型サングラスや保護眼鏡に、装着内臓されている多機能透視眼鏡１Ａおよび多機能透視保護眼鏡１Ａｇの補助接着矯正レンズ４Ａならびに補助調整接着矯正レンズ４Ａａ（図４、４Ａｍ、４Ａｎの総称）の左右接着面は弱粘着面５ａａ、６ａａとなっているため、常用透視眼鏡１から前記接着矯正レンズ４Ａを容易に分離装着することが可能となり、着用者による目の間隔叉は高さ位置並びに視力に応じた前記接着矯正レンズ４Ａの選択が自由に出来るようになった。
それゆえ、左右の補助接着矯正レンズ４Ａｒ、４Ａｌを常時１ペアー用意して置けば、度なしクリヤー透視眼鏡に装着して常用矯正眼鏡とし、度なし日除けサングラスとの組み合わせることによって矯正度付きサングラスとなり、更には各種保護眼鏡とを組み合わせることによって多目的な保護眼鏡を得ることができるようになった。
それに加えて、その年の流行に合った既製眼鏡と自由交換性のある補助接着矯正レンズ４Ａ単品とを組み合わせることで、多目的で多機能なサングラス及び保護眼鏡となり容易にファッション性を持たすことができると同時に、より安価で軽量かつコンパクトな自由度の高い多機能透視眼鏡１Ａ（図１）ならびに多機能透視保護眼鏡１Ａｇ（図４）が実現できた。
【発明を実施するための最良の形態】
【０００７】図１は本発明の第１実施形態に於ける多機能透視眼鏡の斜視図、図２は同分解斜視図、図３は同補助接着矯正レンズ４Ａｒの水平中心を切断したＳーＳ線断面図である。
図４は第２実施形態に於ける多機能透視保護眼鏡の平面模式図であり、図５は同補助調整接着矯正レンズ右４Ａｎの図３同様の線断面図で，保護用鼻掛けパッド２Ａｇ側の高さを調整したものである。
【実施例１】
【０００８】図２の符号１は普通屋外で使用する携帯サングラスであり、常用透視レンズ３は紫外線除去兼調光機能を持ち、左右のレンズは眼球とほぼ一直線水平面上に位置した通常のメガネ型である。
この一般的に広く使用されている常用透視眼鏡１に視力補助矯正レンズ４ａ単品を手軽に装着し、着脱交換可能としたのが本発明の特徴である。
まず、図３の補助矯正レンズ右４ａｒの水平方向両端に両面接着シート５Ａ，６Ａを貼付けて補助接着矯正レンズ右４Ａｒを得るために、あらかじめ下記の作業を行って準備をして置く必要がある。
まず、両面接着シート５Ａ，６Ａの基本構成に就いてのべると、支時体５ｂ，６ｂはスポンジ状あるいはフイルム状のシートであり、その両面には各々弱粘着剤５ａ、６ａと強粘着剤５ｃ，６ｃとがサンドイッチされた状態にある。
更に、弱粘着面５ａａ、６ｃｃと強粘着面５ｃｃ、６ｃｃとの両面は剥離ライナーＳ（図示せず）で保護されている。
このような両面接着シートを図２の補助矯正レンズ４ａの外周形状に合わせて三日月型に切り抜いて、両面剥離ライナー付き５Ａ，６Ａの両面接着シートが得られる。
次いで、両面剥離ライナー付き両面接着シート５Ａ，６Ａの強粘着剤５ｃ、６ｃ側の剥離ライナーＳを除去して強粘着面５ｃｃ、６ｃｃの裸面を作る。
しかる後、図２の補助矯正レンズ４ａの前面４ｃ側水平両端部に上記強粘着面５ｃｃ、６ｃｃを持った両面接着シート５Ａ，６Ａを接着することにより、図３の補助接着矯正レンズ右４Ａｒが出来上がるが、両面接着シート５Ａ，６Ａの弱粘着面５ａａ、６ａａには剥離ライナーＳが未だ着いたままであり、接着可能の状態ではない。
しかるに、上記補助接着矯正レンズ右４Ａｒの片面剥離ライナーＳを除去する事により図３の接着可能な補助接着矯正レンズ４Ａｒがえられる。
また、上記同様の工程により図１に於ける補助接着矯正レンズ左４Ａｌを得て、常用透視眼鏡１の左右常用透視レンズ３Ｌ，３Ｒの中心部７Ｌ、７Ｒに、左右の補助接着矯正レンズ４Ａｌ、４Ａｒが押圧されることにより、補助矯正レンズ４ａｌ、４ａｒが各々の所定位置に装着固定され、本発明による図１の多機能透視眼鏡１Ａが完成する。
【実施例２】
【０００９】図４の多機能保護眼鏡１Ａｇは図１のように常用透視レンズが左右に分離したメガネ型の状態と左右補助透視レンズが円筒一体型との二種類があり、両者共、日除け保護の観点から透視レンズ周辺側面の隙間をできるだけ狭くするため、保護常用透視レンズ３Ｇの内側曲率Ｋを可能な限り小さく取る傾向にある。
そのため図１のように左右の常用透視レンズ３Ｌ、３Ｒが眼球とほぼ一直線水平面上に配備されているものは同一厚さの両面接着シート５Ａ、６Ａでよいが、前記内側曲率Ｋが小さいものに就いては図５に示してある様に保護鼻掛パッド２Ａｇ側の両面接着シートを高くして左右の補助矯正レンズ４ａｌ、４ａｒが眼球とほぼ一直線水平面上に配備できる様にしなければならない。
そのためには前記調整支持体７Ａｂの片面側に５ｃ相当の強粘着剤付きとするか、或は強粘着シート７Ａｃを積層接着して強粘着面７ｃｃとし、対向側には両面接着シート５Ａを弱粘着面５ａａを上側にして積層接着することにより、図２の両面接着シート５Ａと同等の接着面５ａａ、５ｃｃを持った両面接着調整シート７Ａを完成させる。
このように構成された前記調整シート７Ａが図３の前記５Ａのかわりに置き替わることにより補助接着矯正レンズ右４Ａｒが簡単に図５の補助調整接着矯正レンズ右４Ａｎに変身させることが可能となる。
また、補助調整接着矯正レンズ左４Ａｍも同様にして得ることができ、図１の多機能透視眼鏡１Ａと同等軒の鵜を果たす多機能透視保護眼鏡１Ａｇも実現できた。
前記接着シート６Ａと前記調整シート７Ａは図４の左右矯正レンズの位置安定性と接着安定性から短冊形状であってもよく、更には常用透視レンズの内側曲率Ｋによっては矯正レンズ周端部よりハミ出した状態で装着固定してもよい。
前記接着調整シート７Ａを構成している調整支持体７Ａｂおよび両面接着シート５Ａ、６Ａを形成している支持体５ｂ、６ｂの素材は接着可能な天然ゴムや合成ゴム叉は、合成樹脂を主成分とする連続発泡体のスポンジが好適で、常用透視レンズ３および保護常用透視レンズ３Ｇと４ａ  補助矯正レンズ４ａとの間を装着固定する場合の緩衝材として働き、外部からの振動、変形および落下等の衝撃に対して強いという利点がある。
また更に、前記両面接着シート５Ａ、６Ａの弱粘着面５ａａ、６ａａは一般市販されている眼鏡レンズ表示に使用されているタックシールのごときもので、表面がナノメートル級に仕上げられたドライな接着が可能なシートで、支持体５ｂ、６ｂの面積が少なくてもスポンジ状のため被着体表面に沿って微細に接触吸着され強力な接着力が得られるものである。
この様な接着は一時接着も長期接着も可能であるため貼ったり剥がしたりが自在に出来ると同時に、仮にゴミ、ホコリ等が付着しても水ぶきでよく、手垢、インク、油類は中性洗剤等で再活性することが出来るものである。
【図面の簡単な説明】
【００１０】
【図１】多機能透視眼鏡の第１実施形態斜視図
【図２】多機能透視眼鏡の第１実施形態分解斜視図
【図３】多機能透視眼鏡の第１実施形態図２に於ける補助接着矯正レンズ４Ａｒの水平中心を切断したＳーＳ線断面図
【図４】多機能透視眼鏡の第２実施形態の平面模式図
【図５】多機能透視眼鏡の第２実施形態で図３同様の補助接着矯正レンズ右４Ａｍの水平中心を切断した線断面図
【符号の説明】
【００１１】１  常用透視眼鏡
１Ａ  多機能透視眼鏡
１Ａｇ  多機能透視保護眼鏡
１Ｇ  常用透視保護眼鏡
２  眼鏡フレーム
２Ｇ  保護眼鏡フレーム
２Ａ  鼻掛パッド
２Ａｇ  保護鼻掛パッド
３  常用透視レンズ（３Ｌ、３Ｒ、３Ｇの総称）
３Ｌ  常用透視レンズ左
３Ｒ  常用透視レンズ右
３Ｇ  保護常用透視レンズ
３ａ  常用透視レンズ内側
３ｂ  常用透視レンズ外側（図示せず）
４Ａ  補助接着矯正レンズ（４Ａｌ、４Ａｒの総称）
４Ａｌ  補助接着矯正レンズ左
４Ａｒ  補助接着矯正レンズ右
４Ａａ  補助調整接着矯正レンズ（４Ａｍ、４Ａｎの総称）
４Ａｍ  補助調整接着矯正レンズ左
４Ａｎ  補助調整接着矯正レンズ右
４ａ  補助矯正レンズ（４ａｌ、４ａｒの総称）
４ａｌ  補助矯正レンズ左
４ａｒ  補助矯正レンズ右
４ｂ  補助矯正レンズ背面
４ｃ  補助矯正レンズ前面（４ｃｌ、４ｃｒの総称）
４ｃｒ  補助矯正レンズ前面左
４ｃｌ  補助矯正レンズ前面右
５Ａ  両面接着シート
５ａ  弱粘着剤
５ａａ  弱粘着面
５ｂ  支持体
５ｃ  強粘着剤
５ｃｃ  強粘着面
８  テンプル
６Ａ  両面接着シート
６ａ  弱粘着剤
６ａａ  弱粘着面
６ｂ  支持体
６ｃ  強粘着剤
６ｃｃ  強粘着面
８Ｇ  保護テンプル
７Ａ  両面接着調整シート
７Ａｂ  調整支持体
７Ａｃ  強粘着剤叉は両面強粘着シート
７Ｌ  補助矯正レンズ左接着位置
７Ｒ  補助矯正レンズ右接着位置
７ｃｃ  強粘着面
Ｈ  蝶番
Ｋ  常用透視レンズの内側曲率
【図１】
2005092173.tif 000003
【図２】
2005092173.tif 000004
【図３】
2005092173.tif 000005
【図４】
2005092173.tif 000006
【図５】
2005092173.tif 000007
【手続補正書】
【提出日】平成15年12月10日(2003.12.10)
【手続補正２】
【補正対象書類名】明細書
【補正対象項目名】０００９
【補正方法】変更
【補正の内容】
【０００９】
図４の多機能保護眼鏡１Ａｇは図１のように常用透視レンズが左右に分離したメガネ型状態と左右補助透視レンズが円筒一体型との二種類があり、両者共、日除け保護の観点か透視レンズ周辺側面の隙間をできるだけ狭くするため、保護常用透視レンズ３Ｇの内側曲Ｋを可能な限り小さく取る傾向にある。
そのため図１のように左右の常用透視レンズ３Ｌ、３Ｒが眼球とほぼ一直線水平面上に配備されているものは同一厚さの両面接着シート５Ａ、６Ａでよいが、前記内側曲率Ｋが小さいものに就いては図５に示してある様に保護鼻掛パッド２Ａｇ側の両面接着シートを高くして左右の補助矯正レンズ４ａｌ、４ａｒが眼の規準位置に配備できる様にしなければならい。そのためには前記調整支持体７Ａｂの片面側に５ｃ相当の強粘着剤付きとするか、或は強粘着シート７Ａｃを積層接着して強粘着面７ｃｃとし、対向側には両面接着シート５Ａを弱粘着面５ａａを上側にして積層接着することにより、図２の両面接着シート５Ａと同等の接着面５ａａ、５ｃｃを持った両面接着調整シート７Ａを完成させる。
このように構成された前記調整シート７Ａが図３の前記５Ａのかわりに置き替わることにより補助接着矯正レンズ右４Ａｒが簡単に図５の補助調整接着矯正レンズ右４Ａｎに変身させることが可能となる。
また、補助調整接着矯正レンズ左４Ａｍも同様にして得ることができ、図１の多機能透視眼鏡１Ａと同等の機能を果たす多機能透視保護眼鏡１Ａｇも実現できた。
前記接着シート６Ａと前記調整シート７Ａは図４の左右矯正レンズの位置安定性と接着安定性から短冊形状であってもよく、更に、該調整シート７Ａに於いては前記鼻掛パッド２Ａｇにまたがった逆Ｕまたは逆Ｖ字型の連続一体調整シートであってもよい。
また更には、常用透視レンズの内側曲率Ｋによっては各調整シート６Ａ，７Ａが矯正レンズ周端部よりハミ出した状態で装着固定してもよい。
前記接着調整シート７Ａを構成している調整支持体７Ａｂおよび両面接着シート５Ａ、６Ａを形成している支持体５ｂ、６ｂの素材は接着可能な天然ゴムや合成ゴム又は、合成樹脂を主成分とする発泡体のスポンジ材が好適で、常用透視レンズ３および保護常用透視レンズ３
2005092173.tif 000008
変形および落下等の衝撃に対して強いという利点がある。
また更に、前記両面接着シート５Ａ、６Ａの弱粘着面５ａａ、６ａａは一般市販されている眼鏡レンズ表示に使用されているタックシールのごときもので、表面がナノメートル級に仕上げられたドライな接着が可能なシートで、支持体５ｂ、６ｂの面積が少なくてもスポンジ状のため被着体表面に沿って微細に接触吸着され強力な接着力が得られるものである。
この様な接着は一時接着も長期接着も可能であるため貼ったり剥がしたりが自在に出来ると同時に、仮にゴミ、ホコリ等が付着しても水ぶきでよく、手垢、インク、油類は中性洗剤等で再活性することが出来るものである。